(57)【要約】【課題】セーブ消火モード時は検知室温と設定室温との温度差によって、タイマー運転の開始か延期かを判断し、無駄な燃料の消費を防止するようにした暖房装置を提供する。【解決手段】設定した時刻に暖房を開始させるタイマー手段４６を備え、更に室温検知センサ３８により検知される検知室温が、室温設定手段３５により設定された設定室温より数度高くなった場合、一旦暖房運転を停止させると共に、検知室温が設定室温以下に低下すると再び暖房運転を開始させるセーブ消火モードを実行する消火モード部４７を制御部４５に備えたもので、前記セーブ消火モード時にタイマー手段４６による設定時刻が到来しても、室温検知センサ３８により検知される検知室温が、室温設定手段３５により設定された設定室温より数度高い時には、暖房開始動作は行わず、検知室温が設定室温以下に低下するまで暖房開始を延期するタイマー延期部４８を備えたものである。【選択図】  図６
2016114306.tif 000002
【特許請求の範囲】
【請求項１】
燃料を燃焼させる燃焼部と、該燃焼部の燃焼で発生する燃焼熱をそのまま或いは熱交換して室内に放出し暖房を行う対流ファンと、室内の温度を検知する室温検知センサと、室内の温度を設定する室温設定手段と、設定した時刻に暖房を開始させるタイマー手段とを備え、更に室温検知センサにより検知される検知室温が、室温設定手段により設定された設定室温より数度高くなった場合、一旦暖房運転を停止させると共に、検知室温が設定室温以下に低下すると再び暖房運転を開始させるセーブ消火モードを実行する消火モード部を制御部に備えたものに於いて、前記セーブ消火モード時にタイマー手段による設定時刻が到来しても、室温検知センサにより検知される検知室温が、室温設定手段により設定された設定室温より数度高い時には、暖房開始動作は行わず、検知室温が設定室温以下に低下するまで暖房開始を延期するタイマー延期部を備えた事を特徴とする暖房装置。
【請求項２】
前記タイマー延期部は、暖房の開始が所定時間以上延期された場合には、タイマー手段の設定を解除するようにした事を特徴とする請求項１記載の暖房装置。
【発明の詳細な説明】
【技術分野】
【０００１】
この発明は、燃料を燃焼させて室内の暖房を行う暖房装置に関するものである。
【背景技術】
【０００２】
従来よりこの種のものに於いては、室温が使用者が設定した希望の設定室温に達することで、省エネルギーの観点から燃料を無駄に消費しないように、暖房を一旦停止し、室温が数度低下すると、再び暖房運転を開始する運転を繰り返すセーブ消火モードの運転を行うものであった。（例えば、特許文献１）
【先行技術文献】
【特許文献】
【０００３】
【特許文献１】実開昭４−１０３５６２号公報
【発明の概要】
【発明が解決しようとする課題】
【０００４】
ところで従来のものでは、このセーブ消火モード時に、タイマー手段による設定時刻が到来した場合、室温が設定温度以上でも一旦暖房を開始したのちに、セーブ消火モードで消火するものであり、即ち、一旦暖房運転を開始することで、タイマー手段で設定した時刻になったことを知らせるものであるが、反面省エネルギーの観点からは燃料を無駄に消費してしまうと言う課題を有するものであった。
【課題を解決するための手段】
【０００５】
上記課題を解決するために、この発明の請求項１では、燃料を燃焼させる燃焼部と、該燃焼部の燃焼で発生する燃焼熱をそのまま或いは熱交換して室内に放出し暖房を行う対流ファンと、室内の温度を検知する室温検知センサと、室内の温度を設定する室温設定手段と、設定した時刻に暖房を開始させるタイマー手段とを備え、更に室温検知センサにより検知される検知室温が、室温設定手段により設定された設定室温より数度高くなった場合、一旦暖房運転を停止させると共に、検知室温が設定室温以下に低下すると再び暖房運転を開始させるセーブ消火モードを実行する消火モード部を制御部に備えたものに於いて、前記セーブ消火モード時にタイマー手段による設定時刻が到来しても、室温検知センサにより検知される検知室温が、室温設定手段により設定された設定室温より数度高い時には、暖房開始動作は行わず、検知室温が設定室温以下に低下するまで暖房開始を延期するタイマー延期部を備えたものである。
【０００６】
又請求項２では、前記タイマー延期部は、暖房の開始が所定時間以上延期された場合には、タイマー手段の設定を解除するようにしたものである。
【発明の効果】
【０００７】
以上のようにこの発明によれば、セーブ消火モード時にタイマー手段による設定時刻が到来しても、室温検知センサにより検知される検知室温が、室温設定手段により設定された設定室温より数度高い時には、暖房開始動作は行わず、検知室温が設定室温以下に低下するまで暖房開始を延期するようにしたので、タイマーによる暖房開始でも、室温が高ければ無駄な暖房は行わないので、極めて省エネルギーであり且つ経済的で、しかも、室温が低下した時点で自動的に暖房が開始されるので、使用勝手も良いものである。
【０００８】
又請求項２によれば、暖房の開始が所定時間以上延期された場合には、タイマー手段の設定を解除するようにしたので、いつまでもタイマーの待機状態が継続されることがなく、長くなったら自動的にタイマーが解除され、極めて便利で使い勝手が良いものである。
【図面の簡単な説明】
【０００９】
【図１】この発明の一実施形態を示す暖房装置の正面斜視図
【図２】同実施形態の断面図
【図３】同実施形態の燃焼系の説明図
【図４】同実施形態の操作部の説明図
【図５】同実施形態の制御ブロック図
【図６】同要部のフローチャート
【発明を実施するための形態】
【００１０】
次にこの発明の一実施形態を図に基づいて説明する。
１は器具本体であり、２は器具本体１の上面を構成する上面板、３は上面板２にあり各種スイッチで操作を行う操作部、４は操作部３で行った操作内容等を液晶画面に表示する液晶パネル、５は器具本体１の正面側にあり温風を案内するルーバー６が設置された温風吹出口、７は家庭用コンセントに差し込むことで器具本体１に電気を供給する電源プラグである。
【００１１】
８は背面の温風取入口９にファンガード１０を介して取り付けられた対流ファン、１１は前記温風取入口９と温風吹出口６とを連通する送風ボックス、１２は前記送風ボックス１１内にバーナヘッド１３を突出して設けられた燃焼部としてのバーナ、１４は前記バーナヘッド１３を囲堯して燃焼空間を形成する燃焼筒、１５は前記送風ボックス１１内で燃焼筒１４の真上に配設された遮熱板である。
【００１２】
１６は灯油などの燃油を供給する給油タンク、１７は給油タンク１６から供給された燃油を所定量溜める固定タンク、１８は固定タンク１７内の燃油量をフロートで測定する油量センサ、１９は固定タンク１７内の燃油を送油管２０及び送油ノズル２１を介してバーナ１２へ圧送する電磁ポンプ、２２は燃焼用空気を送風管２３を介して送風する燃焼ファンである。
【００１３】
２４は燃油を気化する気化器、２５は通電することで気化器２４を燃油が気化可能な所定の点火温度まで加熱する気化ヒータ、２６は気化器２４の温度を検出する気化温度センサ、２７はバーナヘッド１３の外周に設けられた炎孔網、２８は燃焼熱を気化器２４へ回収する熱回収リング、２９は気化ガスにスパーク放電して点火する点火器、３０は炎の状態を監視するフレームロッドである。
【００１４】
前記操作部３には、バーナ１２での燃焼による暖房運転の開始と停止を指示する運転スイッチ３１と、所定の暖房運転時間（３時間）が経過した後も続けて暖房運転を実行させる延長スイッチ３２と、気化ヒータ２５に通電することで気化器２４を所定の予熱温度で予熱し運転スイッチ３１操作後に数秒で暖房運転を可能とする予熱動作を開始させる予熱スイッチ３３と、タイマー時刻の設定画面と室温設定の画面を切り替える表示切替スイッチ３４と、タイマー時刻の設定画面ではタイマー時刻を設定し、室温設定の画面では室温を設定するアップダウンスイッチからなる室温設定手段３５と、子どものいたずら防止のため運転スイッチ３１の停止指示以外の操作を無効にするチャイルドロックスイッチ３６と、前記時刻設定スイッチ３４で暖房運転の開始時刻を設定時刻とさせるタイマー運転スイッチ３７と、室温検知センサ３８で検知する実際の室温が使用者が設定した設定室温より所定温度ここでは３℃以上となった時、一旦暖房運転を停止し、そして検知室温が設定室温以下に低下すると暖房運転を再開させるセーブ消火モードの運転を行わせるセーブ運転スイッチ３９とが備えられており、各種スイッチを操作して暖房運転の制御を変更する。
【００１５】
更に、運転スイッチ３１が操作され暖房運転の開始が指示されると点灯する運転ランプ４０と、自動消火する１５分前になると点滅する延長ランプ４１と、予熱スイッチ３３が操作されると点灯する予熱ランプ４２と、タイマー運転スイッチ３７が操作されると点灯するタイマー運転ランプ４３と、セーブ運転スイッチ３９が操作されと点灯するセーブランプ４４とが操作部３に備わっており、各種スイッチ操作の有無を視覚で簡単に確認できるものである。
【００１６】
４５は器具本体１の制御を行うマイコンで構成された制御部であり、該制御部４５には、時刻をカウントする設定されたタイマー時間の到来で暖房を開始させるタイマー手段４６と、室温検知センサ３８により検知される検知室温が、室温設定手段３５により設定された設定室温より数度高くなった場合、一旦暖房運転を停止させると共に、検知室温が設定室温以下に低下すると再び暖房運転を開始させるセーブ消火モードを実行する消火モード部４７と、セーブ消火モード時にタイマー手段４６による設定時刻が到来しても、室温検知センサ３８により検知される検知室温が、室温設定手段３５により設定された設定室温より３℃以上高い時には、暖房開始動作は行わず、検知室温が設定室温以下に低下するまで暖房開始を延期するタイマー延期部４８と、各種の制御モードが格納されている。
【００１７】
又前記タイマー延期部４８は、暖房の開始が所定時間以上ここでは１時間延期された場合には、タイマー手段４６の設定を解除するようにしたものである。
【００１８】
次にこの一実施形態の作動について、図６に示すフローチャートで説明すれば、今ステップ４９でタイマー手段４６がタイマー時間の到来をカウントすると、ＹＥＳでステップ５０に進みセーブ消火モードの運転状態かを確認し、ＮＯではステップ５１に進み通常の暖房運転を開始するものであり、ＹＥＳではステップ５２に進み室温検知センサ３８で検知した検知室温が、室温設定手段３５で設定された設定室温より３℃以上高いかを判断し、ＮＯでは現在の室温が低いということなので、ステップ５１に進み直ぐに暖房運転を開始させるものでる。
【００１９】
又ステップ５２でＹＥＳの場合は、制御部４５内のタイマー延期部４８が作動し、ステップ５３に進み暖房運転の開始を延期すると共に、この延期時間のカウントを開始するものであり、そしてステップ５４に進み検知室温が設定室温以下に低下するかを監視し、ＮＯではステップ５５に進み暖房運転開始の延期が所定時間ここでは１時間以上継続したかをカウントし、ＮＯでは室温監視のステップ５４に戻るものであり、１時間経過のＹＥＳではステップ５６に進み暖房運転開始の延期を終了してカウントが行われない普通の停止状態とするものであり、一方ステップ５４で検知室温が設定室温以下に低下したＹＥＳでは、ステップ５１に進み直ぐに暖房運転を開始させるもので、暖房運転開始延期のカウンタはここで停止されるものである。
【００２０】
このように、セーブ消火モード時にタイマー手段４６による設定時刻が到来しても、室温検知センサ３８により検知される検知室温が、室温設定手段３５により設定された設定室温より数度高い時には、暖房開始動作は行わず、検知室温が設定室温以下に低下するまで暖房開始を延期するようにしたので、タイマーによる暖房開始でも、室温が高ければ無駄な暖房は行わないので、極めて省エネルギーであり且つ経済的で、しかも、室温が低下した時点で自動的に暖房が開始されるので、使用勝手も良いものである。
【００２１】
更に暖房の開始が所定時間以上延期された場合には、タイマー手段４６の設定を解除するようにしたので、いつまでもタイマーの待機状態が継続されることがなく、長くなったら自動的にタイマーが解除され、極めて便利で使い勝手が良いものである。
【符号の説明】
【００２２】
１  器具本体
８  対流ファン
１２  バーナ（燃焼部）
３５  室温設定手段
３８  室温検知センサ
４５  制御部
４６  タイマー手段
４７  消火モード部
４８  タイマー延期部
【図１】
2016114306.tif 000003
【図２】
2016114306.tif 000004
【図３】
2016114306.tif 000005
【図４】
2016114306.tif 000006
【図５】
2016114306.tif 000007
【図６】
2016114306.tif 000008